(57)【要約】本発明は、可撓性カテーテル・チューブ（１）の遠位端を調整可能に変位するための装置に関する。この装置は、所望の変位角度までチューブ（１）内部で変位可能な螺旋状の端部（２’）を有するばね弾性ガイド（２）を有する。
2005516694.tif 000002
【特許請求の範囲】
【請求項１】
可撓性カテーテル・チューブの遠位端部を調整可能に変位するための装置であって、
螺旋形状の端部を有する、ばね弾性材料からなるガイド・ワイヤーが、カテーテル・チューブを通って、螺旋形状ワイヤー端がカテーテル・チューブの前記外側端のすぐ前にある、ニュートラル又はスタート位置へスライド可能にガイドされ、
前記ワイヤーがそのスタート位置から前記可撓性カテーテル・チューブ内に多く又は少し引き込まれる際、前記カテーテル・チューブの端部が、その際必然的に開いた螺旋形状のワイヤー端のばね力の作用で、調整可能な角度だけ変位するようになっていることを特徴とする装置。
【請求項２】
可撓性カテーテル・チューブと前記カテーテル・チューブの遠位端部を調整可能に変位するための装置を有するカテーテル、特に心臓カテーテルであって、
前記変位装置は、螺旋状の端部を有する、ばね弾性材料からなるガイド・ワイヤーによって形成され、
前記ガイド・ワイヤーが、カテーテル・チューブを通って、螺旋形状ワイヤー端がカテーテル・チューブの前記外側端のすぐ前にある、ニュートラル又はスタート位置へスライド可能にガイドされ、
前記ワイヤーがそのスタート位置から前記可撓性カテーテル・チューブ内に多く又は少し引き込まれる際、前記カテーテル・チューブの端部が、その際必然的に開いた螺旋形状のワイヤー端のばね力の作用で、調整可能な角度だけ変位するようになっていることを特徴とするカテーテル。
【請求項３】
硬いチューブ状部分、例えば金属スリーブが、前記カテーテルの遠位端に配置されていることを特徴とする請求項２記載のカテーテル。
【発明の詳細な説明】
【技術分野】
【０００１】
本発明は、可撓性カテーテル・チューブの遠位端部を調整可能に変位するための装置及びそのような装置を備えたカテーテル、特に心臓カテーテルに関する。
【背景技術】
【０００２】
カテーテルを、足の付け根又は大腿部から、血管を通して、患者の心臓に導入することは、世界的に用いられている標準的なテクニックである。この処置は、心臓までは何の問題もなく行われる（例えば、心房中隔欠損を通して左心房へ入れる）。しかし、不可能ではないがより困難なのは、より自由に移植組織を配置するために、挿入したカテーテルを所定の位置で、例えば、カテーテルの遠位端を心臓壁から遠ざけながら、方向付けしなければならない場合である。従って、心房での手術、例えば、心房中隔欠損の手術では、たいていは、従来の外科的方法（開口手術）によって行われる。
【発明の開示】
【発明が解決しようとする課題】
【０００３】
本発明の目的は、困難な状況においても、確かな手術が低侵襲手術によってでもできるように、カテーテル、特に心臓カテーテルの導入を可能にする手段を提供することであった。
【０００４】
カテーテル・チューブの遠位端部を、体の外側からコントロールできれば、この目的を達成することが可能であることは明らかであった。しかしながら、許容可能なコストでのこの種の解決法は、目処が立っていなかった。
【課題を解決するための手段】
【０００５】
本発明によれば、前記目的は、請求項１の特徴部分及び請求項２の特徴部分による特徴を有する器具を用いて、驚くほど簡単に達成できる。
【発明を実施するための最良の形態】
【０００６】
次に、本発明の主題の例示的実施形態を、図を参照して詳細に説明する。
図１は、本発明による変位装置を備えたカテーテルの線図であり、ニュートラルポジションを示す。
図２は、端部が調整可能な角度だけ変位している、図１のカテーテルを示す。
【０００７】
図に示すように、カテーテル・チューブ１は、可撓性材料からなり、ばね弾性材料（例えばスチール）のガイド・ワイヤー２を有する。ガイド・ワイヤー２は、チューブを通してガイドされ、チューブの遠位端１’の前方にあるその端部２’が螺旋形状である。ワイヤー２は、チューブ１内でスライド可能に動くことができる（ワイヤー２の下端を引っ張ることによって）。
【０００８】
硬いチューブ状の部分３（スリーブ）がチューブ１の遠位端１’に設けられている。
【０００９】
図１に示される構成では、心臓カテーテルとしてのカテーテル、つまり、ガイド・ワイヤー２を有するカテーテル・チューブ１を、血管を通って心臓までほぼ真っ直ぐに導入することができる。そこで、所定の角度で継続する場合、スパイラル２’を、ワイヤーの後端を引っ張ることにより、大きく又は小さく、チューブ１に引き込むことができる。この結果、ばね張力のため、チューブ１の遠位端部１’の変位をコントロールでき（調整可能な角度αだけ）、遠位端１’を容易にさらに押し出すことができる。変位αは、例えば金属スリーブの形で、チューブ端に押し込まれた硬いチューブ状部分３によって、簡単に所望通り設定できる。
【００１０】
変位角度は、ワイヤー・スパイラル２’を多く又は少しチューブに引き込むことにより、調整される。
【図面の簡単な説明】
【００１１】
【図１】本発明による変位装置を備えたカテーテルの線図であり、ニュートラルポジションを示す。
【図２】端部が調整可能な角度だけ変位している、図１のカテーテルを示す。
【図１】
2005516694.tif 000003
【図２】
2005516694.tif 000004
【手続補正書】
【提出日】平成16年1月26日(2004.1.26)
【手続補正１】
【補正対象書類名】特許請求の範囲
【補正対象項目名】全文
【補正方法】変更
【補正の内容】
【特許請求の範囲】
【請求項１】
可撓性カテーテル・チューブの遠位端部を調整可能に変位するための装置であって、
前記装置は、ばね弾性材料からなるガイド・ワイヤーを備え、
前記ガイド・ワイヤーは、カテーテル・チューブを通ってスライド可能にニュートラル又はスタート位置にガイドされるようになっており、
前記ワイヤーは、スタート位置から多く又は少し引っ張られる際、可撓性カテーテル・チューブの端部が変位し、
前記ガイド・ワイヤーが螺旋形状端部を有し、
前記ニュートラル又はスタート位置では、前記螺旋形状ワイヤー端が前記カテーテル・チューブの外側端のすぐ前にあり、
前記ワイヤーがそのスタート位置から前記可撓性カテーテル・チューブ内に引き込まれる際、前記カテーテル・チューブの端部が、必然的に開いた螺旋形状ワイヤー端のばね力の作用で、変位するようになっていることを特徴とする装置。
【請求項２】
請求項１記載の、可撓性カテーテル・チューブと前記カテーテル・チューブの遠位端部を調整可能に変位するための装置を有するカテーテル、特に心臓カテーテルであって、
前記変位装置は、ばね弾性材料からなるガイド・ワイヤーからなり、
前記ガイド・ワイヤーは、カテーテル・チューブを通ってスライド可能にニュートラル又はスタート位置にガイドされるようになっており、
スタート位置からワイヤーを多く又は少し引っ張ることにより、可撓性カテーテル・チューブの端部が変位し、
前記ガイド・ワイヤーが螺旋形状端部を有し、
前記ニュートラル又はスタート位置では、前記螺旋形状ワイヤー端が前記カテーテル・チューブの外側端のすぐ前にあり、
前記ワイヤーがそのスタート位置から前記可撓性カテーテル・チューブ内に引き込まれる際、前記カテーテル・チューブの端部が、必然的に開いた螺旋形状のワイヤー端のばね力の作用で、調整可能な角度だけ変位するようになっていることを特徴とするカテーテル。
【請求項３】
硬いチューブ状部分が、前記カテーテルの遠位端に設けられていることを特徴とする請求項２記載のカテーテル。
【請求項４】
前記硬いチューブ状部分が、金属スリーブであることを特徴とする請求項３記載のカテーテル。
【手続補正２】
【補正対象書類名】明細書
【補正対象項目名】０００２
【補正方法】変更
【補正の内容】
【０００２】
カテーテルを、足の付け根又は大腿部から、血管を通して、患者の心臓に導入することは、世界的に用いられている標準的なテクニックである。この処置は、心臓までは何の問題もなく行われる（例えば、心房中隔欠損を通して左心房へ入れる）。しかし、不可能ではないが、より困難なのは、より自由に移植組織を配置するために、挿入したカテーテルを所定の位置で、例えば、カテーテルの遠位端を心臓壁から遠ざけながら、方向付けなければならない場合である。従って、心房での手術、例えば、心房中隔欠損の手術では、たいていは、従来の外科的方法（開口手術）によって行われる。
国際公開第９６／３２９８０号には、遠位端で曲げられた、予めカーブしたカテーテル・チューブを有するカテーテルが開示されている。ワイヤーはこのカテーテル・チューブ内で前後に押すことができる。チューブが、チューブの遠位端の領域まで押されると、チューブのカーブが少なくとも部分的に持ち上げられる。ワイヤーを引き戻すと、チューブはその所定の位置へと曲がる。
【国際調査報告】
2005516694.tif 000005
2005516694.tif 000006
2005516694.tif 000007
2005516694.tif 000008
2005516694.tif 000009